【事件の表示】
　特願２０１４−　９６０８８「端末，サーバ，暗号通信システムおよび暗号通信方法」拒絶査定不服審判事件〔平成２７年１２月　３日出願公開，特開２０１５−２１６４１３〕について，次のとおり審決する。
【結　論】
　本件審判の請求は，成り立たない。
【理　由】
第１．手続の経緯
　本願は，平成２６年５月７日の出願であって，
　出願と同日付けで審査請求がなされ，平成２７年９月１７日付けで審査官により拒絶理由が通知され，これに対して平成２７年１１月２６日付けで意見書が提出されると共に手続補正がなされたが，平成２７年１２月２５日付けで審査官により拒絶査定がなされ（謄本送達；平成２８年１月５日），これに対して平成２８年４月４日付けで審判請求がなされると共に手続補正がなされ，平成２８年５月３１日付けで審査官により特許法第１６４条第３項の規定に基づく報告がなされたものである。
　
第２．平成２８年４月４日付けの手続補正の却下の決定
　
　［補正却下の決定の結論］
　
　平成２８年４月４日付け手続補正を却下する。
　
　［理由］
　
１．補正の内容
　平成２８年４月４日付けの手続補正（以下，これを「本件手続補正」という）により，平成２７年１１月２６日付けの手続補正により補正された特許請求の範囲，
「　【請求項１】
　サーバに対してデータを送信する端末であって，
　データの暗号化および復号に用いるキーであり，前記サーバと共通のキーを記憶し，
　所定の条件が満たされた場合に，前記キーと，当該端末が前記サーバに送信したデータとを用いて前記キーを更新する
　ことを特徴とする端末。
　　【請求項２】
　キーと，当該端末がサーバに送信したデータとを用いて所定の論理演算を行うことによって，前記キーを更新する
　請求項１に記載の端末。
　　【請求項３】
　一定の期間が経過する毎にキーを更新する
　請求項１または請求項２に記載の端末。
　　【請求項４】
　前回のキーの更新から一定の期間が経過し，当該端末が所定の時間内に前記キーで暗号化したデータを送信しないという条件が満たされた場合に，前記キーを更新する
　請求項１から請求項３のうちのいずれか１項に記載の端末。
　　【請求項５】
　キーを用いて暗号化したデータを，当該端末の通信識別情報とともにサーバに送信する　請求項１から請求項４のうちのいずれか１項に記載の端末。
　　【請求項６】
　キーを用いて暗号化したデータを，当該端末に固有の装置ＩＤであって暗号化されていない装置ＩＤとともにサーバに送信する
　請求項１から請求項４のうちのいずれか１項に記載の端末。
　　【請求項７】
　データの暗号化および復号に用いるキーを記憶するキー記憶手段と，
　前記キーを用いてデータを暗号化し，暗号化後のデータをサーバに送信する暗号化手段と，
　所定の条件が満たされた場合に，前記キー記憶手段に記憶されているキーを，前記サーバに直近に送信したデータであって暗号化する前のデータを用いて更新するキー更新手段とを備える
　請求項１から請求項６のうちのいずれか１項に記載の端末。
　　【請求項８】
　キー記憶手段は，キーとして第１のキーおよび第２のキーを記憶し，
　暗号化手段は，前記第１のキーを用いてデータを暗号化し，暗号化後のデータをサーバに送信し，
　前記サーバから受信したデータを，前記第２のキーを用いて復号する復号手段を備え，
　キー更新手段は，所定の条件が満たされた場合に，前記第１のキーおよび前記第２のキーを，前記サーバに直近に送信したデータであって暗号化する前のデータを用いて更新する
　請求項７に記載の端末。
　　【請求項９】
　当該端末が初期状態で記憶するサーバと共通のキーは，当該端末の製造時に当該端末の生産管理情報に基づいて生成されたキーである
　請求項１から請求項８のうちのいずれか１項に記載の端末。
　　【請求項１０】
　当該端末は，スマートメータである
　請求項１から請求項９のうちのいずれか１項に記載の端末。
　　【請求項１１】
　端末からデータを受信するサーバであって，
　データの暗号化および復号に用いるキーであり，前記端末と共通のキーを記憶し，
　所定の条件が満たされた場合に，前記キーと，前記端末が当該サーバに送信したデータとを用いて前記キーを更新する
　ことを特徴とするサーバ。
　　【請求項１２】
　キーと，端末が当該サーバに送信したデータとを用いて所定の論理演算を行うことによって，前記キーを更新する
　請求項１１に記載のサーバ。
　　【請求項１３】
　一定の期間が経過する毎にキーを更新する
　請求項１１または請求項１２に記載のサーバ。
　　【請求項１４】
　前回のキーの更新から一定の期間が経過し，前記端末が所定の時間内に前記端末のキーで暗号化したデータを送信しないという条件が満たされた場合に，前記キーを更新する
　請求項１１から請求項１３のうちのいずれか１項に記載のサーバ。
　　【請求項１５】
　端末毎に，端末の通信識別情報と，当該端末のキーと共通のキーとを対応付けて記憶し，
　暗号化されたデータおよび通信識別情報を受信したときに，受信した通信識別情報に対応するキーを用いて前記データを復号する
　請求項１１から請求項１４のうちのいずれか１項に記載のサーバ。
　　【請求項１６】
　端末毎に，端末に固有の装置ＩＤと，当該端末のキーと共通のキーとを対応付けて記憶し，
　暗号化されたデータおよび暗号化されていない装置ＩＤを受信したときに，受信した装置ＩＤに対応するキーを用いて前記データを復号する
　請求項１１から請求項１４のうちのいずれか１項に記載のサーバ。
　　【請求項１７】
　データの暗号化および復号に用いるキーを記憶するキー記憶手段と，
　端末から受信したデータを，前記キーを用いて復号する復号手段と，
　所定の条件が満たされた場合に，前記キー記憶手段に記憶されているキーを，前記端末から直近に受信したデータであって復号した後のデータを用いて更新するキー更新手段とを備える
　請求項１１から請求項１６のうちのいずれか１項に記載のサーバ。
　　【請求項１８】
　キー記憶手段は，キーとして第１のキーおよび第２のキーを記憶し，
　復号手段は，端末から受信したデータを，前記第１のキーを用いて復号し，
　前記第２のキーを用いてデータを暗号化し，暗号化後のデータを前記端末に送信する暗号化手段を備え，
　キー更新手段は，所定の条件が満たされた場合に，前記第１のキーおよび前記第２のキーを，前記端末から直近に受信したデータであって復号した後のデータを用いて更新する　請求項１７に記載のサーバ。
　　【請求項１９】
　当該サーバが初期状態で記憶する端末と共通のキーは，当該端末の製造時に当該端末の生産管理情報に基づいて生成されたキーである
　請求項１１から請求項１８のうちのいずれか１項に記載のサーバ。
　　【請求項２０】
　データを送信する端末と，
　前記データを受信するサーバとを備え，
　前記端末および前記サーバは，それぞれ，
　データの暗号化および復号に用いる共通のキーを記憶し，
　所定の条件が満たされた場合に，前記キーと，前記端末が前記サーバに送信したデータとを用いて前記キーを更新する
　ことを特徴とする暗号通信システム。
　　【請求項２１】
　端末およびサーバは，それぞれ，
　キーと，前記端末が前記サーバに送信したデータとを用いて所定の論理演算を行うことによって，前記キーを更新する
　請求項２０に記載の暗号通信システム。
　　【請求項２２】
　端末およびサーバは，それぞれ，
　一定の期間が経過する毎にキーを更新する
　請求項２０または請求項２１に記載の暗号通信システム。
　　【請求項２３】
　端末およびサーバは，それぞれ，
　前回のキーの更新から一定の期間が経過し，前記端末が所定の時間内に前記キーで暗号化したデータを送信しないという条件が満たされた場合に，前記キーを更新する
　請求項２０から請求項２２のうちのいずれか１項に記載の暗号通信システム。
　　【請求項２４】
　端末は，
　キーを用いて暗号化したデータを，当該端末の通信識別情報とともにサーバに送信し，
　サーバは，
　端末毎に，端末の通信識別情報と，当該端末のキーと共通のキーとを対応付けて記憶し，
　暗号化されたデータおよび通信識別情報を受信したときに，受信した通信識別情報に対応するキーを用いて前記データを復号する
　請求項２０から請求項２３のうちのいずれか１項に記載の暗号通信システム。
　　【請求項２５】
　端末は，
　キーを用いて暗号化したデータを，当該端末に固有の装置ＩＤであって暗号化されていない装置ＩＤとともにサーバに送信し，
　サーバは，
　端末毎に，端末の装置ＩＤと，当該端末のキーと共通のキーとを対応付けて記憶し，
　暗号化されたデータおよび装置ＩＤを受信したときに，受信した装置ＩＤに対応するキーを用いて前記データを復号する
　請求項２０から請求項２３のうちのいずれか１項に記載の暗号通信システム。
　　【請求項２６】
　端末は，
　データの暗号化および復号に用いるキーを記憶する端末側キー記憶手段と，
　前記キーを用いてデータを暗号化し，暗号化後のデータをサーバに送信する端末側暗号化手段と，
　所定の条件が満たされた場合に，前記端末側キー記憶手段に記憶されているキーを，前記サーバに直近に送信したデータであって暗号化する前のデータを用いて更新する端末側キー更新手段とを含み，
　前記サーバは，
　前記キーと共通のキーを記憶するサーバ側キー記憶手段と，
　前記端末から受信したデータを，前記キーを用いて復号するサーバ側復号手段と，
　前記所定の条件が満たされた場合に，前記サーバ側キー記憶手段に記憶されているキーを，前記端末から直近に受信したデータであって復号した後のデータを用いて更新するサーバ側キー更新手段とを含む
　請求項２０から請求項２５のうちのいずれか１項に記載の暗号通信システム。
　　【請求項２７】
　端末側キー記憶手段およびサーバ側キー記憶手段は，キーとして第１のキーおよび第２のキーを記憶し，
　端末側暗号化手段は，前記第１のキーを用いてデータを暗号化し，暗号化後のデータをサーバに送信し，
　サーバ側復号手段は，端末から受信したデータを，前記第１のキーを用いて復号し，
　前記サーバは，
　前記第２のキーを用いてデータを暗号化し，暗号化後のデータを前記端末に送信するサーバ側暗号化手段を含み，
　前記端末は，
　前記サーバから受信したデータを，前記第２のキーを用いて復号する端末側復号手段を含み，
　端末側キー更新手段は，所定の条件が満たされた場合に，前記第１のキーおよび前記第２のキーを，前記サーバに直近に送信したデータであって暗号化する前のデータを用いて更新し，
　サーバ側キー更新手段は，前記所定の条件が満たされた場合に，前記第１のキーおよび前記第２のキーを，前記端末から直近に受信したデータであって復号した後のデータを用いて更新する
　請求項２６に記載の暗号通信システム。
　　【請求項２８】
　端末およびサーバが初期状態で記憶する共通のキーは，端末の製造時に当該端末の生産管理情報に基づいて生成されたキーである
　請求項２０から請求項２７のうちのいずれか１項に記載の暗号通信システム。
　　【請求項２９】
　端末は，スマートメータである
　請求項２０から請求項２８のうちのいずれか１項に記載の暗号通信システム。
　　【請求項３０】
　データを送信する端末と，前記データを受信するサーバとが，それぞれ，
　データの暗号化および復号に用いる共通のキーを記憶し，
　所定の条件が満たされた場合に，前記キーと，前記端末が前記サーバに送信したデータとを用いて前記キーを更新する
　ことを特徴とする暗号通信方法。
　　【請求項３１】
　データの暗号化および復号に用いるキーであり，サーバと共通のキーを記憶するキー記憶手段を備え，前記サーバに対してデータを送信するコンピュータに搭載される端末用プログラムであって，
　前記コンピュータに，
　前記キーを用いてデータを暗号化し，暗号化後のデータを前記サーバに送信する暗号化処理，および，
　所定の条件が満たされた場合に，前記キー記憶手段に記憶されているキーを，当該キーと，前記サーバに直近に送信したデータであって暗号化する前のデータとを用いて更新するキー更新処理
　を実行させるための端末用プログラム。
　　【請求項３２】
　データの暗号化および復号に用いるキーであり，端末と共通のキーを記憶するキー記憶手段を備え，前記端末からデータを受信するコンピュータに搭載されるサーバ用プログラムであって，
　前記コンピュータに，
　前記端末から受信したデータを，前記キーを用いて復号する復号処理，および，
　所定の条件が満たされた場合に，前記キー記憶手段に記憶されているキーを，当該キーと，前記端末から直近に受信したデータであって復号した後のデータとを用いて更新するキー更新処理
　を実行させるためのサーバ用プログラム。」（以下，上記引用の請求項各項を，「補正前の請求項」という）は，
「　【請求項１】
　サーバに対してデータを送信する端末であって，
　データの暗号化および復号に用いるキーであり，前記サーバと共通のキーを記憶し，
　所定の条件が満たされた場合に，前記キーと，当該端末が前記サーバに送信したデータとを用いて前記キーを更新し，
　データの暗号化および復号に用いるキーを記憶するキー記憶手段と，
　前記キーを用いてデータを暗号化し，暗号化後のデータをサーバに送信する暗号化手段と，
　前記所定の条件が満たされた場合に，前記キー記憶手段に記憶されているキーを，前記サーバに直近に送信したデータであって暗号化する前のデータを用いて更新するキー更新手段とを備える
　ことを特徴とする端末。
　　【請求項２】
　キーと，当該端末がサーバに送信したデータとを用いて所定の論理演算を行うことによって，前記キーを更新する
　請求項１に記載の端末。
　　【請求項３】
　一定の期間が経過する毎にキーを更新する
　請求項１または請求項２に記載の端末。
　　【請求項４】
　前回のキーの更新から一定の期間が経過し，当該端末が所定の時間内に前記キーで暗号化したデータを送信しないという条件が満たされた場合に，前記キーを更新する
　請求項１から請求項３のうちのいずれか１項に記載の端末。
　　【請求項５】
　キーを用いて暗号化したデータを，当該端末の通信識別情報とともにサーバに送信する
　請求項１から請求項４のうちのいずれか１項に記載の端末。
　　【請求項６】
　キーを用いて暗号化したデータを，当該端末に固有の装置ＩＤであって暗号化されていない装置ＩＤとともにサーバに送信する
　請求項１から請求項４のうちのいずれか１項に記載の端末。
　　【請求項７】
　キー記憶手段は，キーとして第１のキーおよび第２のキーを記憶し，
　暗号化手段は，前記第１のキーを用いてデータを暗号化し，暗号化後のデータをサーバに送信し，
　前記サーバから受信したデータを，前記第２のキーを用いて復号する復号手段を備え，
　キー更新手段は，所定の条件が満たされた場合に，前記第１のキーおよび前記第２のキーを，前記サーバに直近に送信したデータであって暗号化する前のデータを用いて更新する
　請求項１から請求項６のうちのいずれか１項に記載の端末。
　　【請求項８】
　当該端末が初期状態で記憶するサーバと共通のキーは，当該端末の製造時に当該端末の生産管理情報に基づいて生成されたキーである
　請求項１から請求項７のうちのいずれか１項に記載の端末。
　　【請求項９】
　当該端末は，スマートメータである
　請求項１から請求項８のうちのいずれか１項に記載の端末。
　　【請求項１０】
　端末からデータを受信するサーバであって，
　データの暗号化および復号に用いるキーであり，前記端末と共通のキーを記憶し，
　所定の条件が満たされた場合に，前記キーと，前記端末が当該サーバに送信したデータとを用いて前記キーを更新し，
　データの暗号化および復号に用いるキーを記憶するキー記憶手段と，
　端末から受信したデータを，前記キーを用いて復号する復号手段と，
　前記所定の条件が満たされた場合に，前記キー記憶手段に記憶されているキーを，前記端末から直近に受信したデータであって復号した後のデータを用いて更新するキー更新手段とを備える
　ことを特徴とするサーバ。
　　【請求項１１】
　キーと，端末が当該サーバに送信したデータとを用いて所定の論理演算を行うことによって，前記キーを更新する
　請求項１０に記載のサーバ。
　　【請求項１２】
　一定の期間が経過する毎にキーを更新する
　請求項１０または請求項１１に記載のサーバ。
　　【請求項１３】
　前回のキーの更新から一定の期間が経過し，前記端末が所定の時間内に前記端末のキーで暗号化したデータを送信しないという条件が満たされた場合に，前記キーを更新する
　請求項１０から請求項１２のうちのいずれか１項に記載のサーバ。
　　【請求項１４】
　端末毎に，端末の通信識別情報と，当該端末のキーと共通のキーとを対応付けて記憶し，
　暗号化されたデータおよび通信識別情報を受信したときに，受信した通信識別情報に対応するキーを用いて前記データを復号する
　請求項１０から請求項１３のうちのいずれか１項に記載のサーバ。
　　【請求項１５】
　端末毎に，端末に固有の装置ＩＤと，当該端末のキーと共通のキーとを対応付けて記憶し，
　暗号化されたデータおよび暗号化されていない装置ＩＤを受信したときに，受信した装置ＩＤに対応するキーを用いて前記データを復号する
　請求項１０から請求項１３のうちのいずれか１項に記載のサーバ。
　　【請求項１６】
　キー記憶手段は，キーとして第１のキーおよび第２のキーを記憶し，
　復号手段は，端末から受信したデータを，前記第１のキーを用いて復号し，
　前記第２のキーを用いてデータを暗号化し，暗号化後のデータを前記端末に送信する暗号化手段を備え，
　キー更新手段は，所定の条件が満たされた場合に，前記第１のキーおよび前記第２のキーを，前記端末から直近に受信したデータであって復号した後のデータを用いて更新する　請求項１０から請求項１５のうちのいずれか１項に記載のサーバ。
　　【請求項１７】
　当該サーバが初期状態で記憶する端末と共通のキーは，当該端末の製造時に当該端末の生産管理情報に基づいて生成されたキーである
　請求項１０から請求項１６のうちのいずれか１項に記載のサーバ。
　　【請求項１８】
　データを送信する端末と，
　前記データを受信するサーバとを備え，
　前記端末および前記サーバは，それぞれ，
　データの暗号化および復号に用いる共通のキーを記憶し，
　所定の条件が満たされた場合に，前記キーと，前記端末が前記サーバに送信したデータとを用いて前記キーを更新し，
　前記端末は，
　データの暗号化および復号に用いるキーを記憶する端末側キー記憶手段と，
　前記キーを用いてデータを暗号化し，暗号化後のデータをサーバに送信する端末側暗号化手段と，
　前記所定の条件が満たされた場合に，前記端末側キー記憶手段に記憶されているキーを，前記サーバに直近に送信したデータであって暗号化する前のデータを用いて更新する端末側キー更新手段とを含み，
　前記サーバは，
　前記キーと共通のキーを記憶するサーバ側キー記憶手段と，
　前記端末から受信したデータを，前記キーを用いて復号するサーバ側復号手段と，
　前記所定の条件が満たされた場合に，前記サーバ側キー記憶手段に記憶されているキーを，前記端末から直近に受信したデータであって復号した後のデータを用いて更新するサーバ側キー更新手段とを含む
　ことを特徴とする暗号通信システム。
　　【請求項１９】
　端末およびサーバは，それぞれ，
　キーと，前記端末が前記サーバに送信したデータとを用いて所定の論理演算を行うことによって，前記キーを更新する
　請求項１８に記載の暗号通信システム。
　　【請求項２０】
　端末およびサーバは，それぞれ，
　一定の期間が経過する毎にキーを更新する
　請求項１８または請求項１９に記載の暗号通信システム。
　　【請求項２１】
　端末およびサーバは，それぞれ，
　前回のキーの更新から一定の期間が経過し，前記端末が所定の時間内に前記キーで暗号化したデータを送信しないという条件が満たされた場合に，前記キーを更新する
　請求項１８から請求項２０のうちのいずれか１項に記載の暗号通信システム。
　　【請求項２２】
　端末は，
　キーを用いて暗号化したデータを，当該端末の通信識別情報とともにサーバに送信し，
　サーバは，
　端末毎に，端末の通信識別情報と，当該端末のキーと共通のキーとを対応付けて記憶し，
　暗号化されたデータおよび通信識別情報を受信したときに，受信した通信識別情報に対応するキーを用いて前記データを復号する
　請求項１８から請求項２１のうちのいずれか１項に記載の暗号通信システム。
　　【請求項２３】
　端末は，
　キーを用いて暗号化したデータを，当該端末に固有の装置ＩＤであって暗号化されていない装置ＩＤとともにサーバに送信し，
　サーバは，
　端末毎に，端末の装置ＩＤと，当該端末のキーと共通のキーとを対応付けて記憶し，
　暗号化されたデータおよび装置ＩＤを受信したときに，受信した装置ＩＤに対応するキーを用いて前記データを復号する
　請求項１８から請求項２１のうちのいずれか１項に記載の暗号通信システム。
　　【請求項２４】
　端末側キー記憶手段およびサーバ側キー記憶手段は，キーとして第１のキーおよび第２のキーを記憶し，
　端末側暗号化手段は，前記第１のキーを用いてデータを暗号化し，暗号化後のデータをサーバに送信し，
　サーバ側復号手段は，端末から受信したデータを，前記第１のキーを用いて復号し，
　前記サーバは，
　前記第２のキーを用いてデータを暗号化し，暗号化後のデータを前記端末に送信するサーバ側暗号化手段を含み，
　前記端末は，
　前記サーバから受信したデータを，前記第２のキーを用いて復号する端末側復号手段を含み，
　端末側キー更新手段は，所定の条件が満たされた場合に，前記第１のキーおよび前記第２のキーを，前記サーバに直近に送信したデータであって暗号化する前のデータを用いて更新し，
　サーバ側キー更新手段は，前記所定の条件が満たされた場合に，前記第１のキーおよび前記第２のキーを，前記端末から直近に受信したデータであって復号した後のデータを用いて更新する
　請求項１８から請求項２３のうちいずれか１項に記載の暗号通信システム。
　　【請求項２５】
　端末およびサーバが初期状態で記憶する共通のキーは，端末の製造時に当該端末の生産管理情報に基づいて生成されたキーである
　請求項１８から請求項２４のうちのいずれか１項に記載の暗号通信システム。
　　【請求項２６】
　端末は，スマートメータである
　請求項１８から請求項２５のうちのいずれか１項に記載の暗号通信システム。」（以下，上記引用の請求項各項を，「補正後の請求項」という）に補正された。
　
２．補正の適否
（１）新規事項
　本件手続補正において，補正後の請求項１は，補正前の請求項１に，補正前の請求項７の構成を加えたものであり，補正後の請求項１０は，補正前の請求項１１に，補正前の請求項１７の構成を加えたものであり，補正後の請求項１８は，補正前の請求項２０に，補正前の請求項２６の構成を加えたものであるから，願書に最初に添付した明細書，特許請求の範囲，または，図面に記載された事項の範囲内でなされたものである。
　よって，本件手続補正は，特許法第１７条の２第３項の規定を満たすものである。
　
（２）目的要件
ア．当審の判断
　次に，本件手続補正が，特許法第１７条の２第５項の規定を満たすものであるか否か，即ち，本件手続補正が，特許法第１７条の２第５項に規定する請求項の削除，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものであるかについて，以下に検討する。
　上記「（１）新規事項」において検討した，補正前の請求項１に組み込まれた，補正前の請求項７の構成，補正前の請求項１１に組み込まれた，補正前の請求項１７の構成，及び，補正前の請求項２０に組み込まれた，補正前の請求項２６の構成は，何れも，組み込み先である補正前の請求項各項に係る発明の，発明特定事項を限定するものではなく，組込先である補正前の請求項各項に対して，新たな構成要素を付加するものであるから，当該手続補正が，特許請求の範囲の減縮を目的とするものでないことは，明らかである。
　また，本件手続補正の目的を，請求項の削除とした場合，例えば，補正前の請求項１を削除して，補正前の請求項７を，補正後の請求項１とした場合，補正前の請求項２〜補正前の請求項６は，補正前の請求項７を引用してはいないので，補正前の請求項２に，補正前の請求項７の構成を組み込むことになり，当該補正事項が，特許請求の範囲の減縮に当たらないことは，上記において検討したとおりである。
　そして，当該補正事項が，明瞭でない記載の釈明，或いは，誤記の訂正を目的とするものでないことも，明らかである。
　よって，本件手続補正は，特許法第１７条の２第５項に規定する，何れの目的要件にも該当していない。
　
イ．目的要件むすび
　したがって，本件手続補正は，特許法第１７条の２第５項の規定に違反するので，同法第１５９条第１項において読み替えて準用する同法第５３条第１項の規定により却下すべきものである。 
　
（３）独立特許要件
　本件手続補正は，上記「（２）目的要件」において検討したとおり，特許法第１７条の２第５項の規定に違反するので，同法第１５９条第１項において読み替えて準用する同法第５３条第１項の規定により却下すべきものであるが，仮に，本件手続補正の目的要件が適法であったとして，本件手続補正が，特許法第１７条の２第６項において準用する同法第１２６条第７項の規定を満たすものであるか否か，即ち，補正後の請求項に記載されている事項により特定される発明が特許出願の際独立して特許を受けることができるものであるか否か，以下に検討する。
　
ア．補正後の請求項１に係る発明
　補正後の請求項１に係る発明（以下，これを「本件補正発明」という）は，上記「１．補正の内容」において，補正後の請求項１として引用した，次の記載のとおりのものである。
　
「サーバに対してデータを送信する端末であって，
　データの暗号化および復号に用いるキーであり，前記サーバと共通のキーを記憶し，
　所定の条件が満たされた場合に，前記キーと，当該端末が前記サーバに送信したデータとを用いて前記キーを更新し，
　データの暗号化および復号に用いるキーを記憶するキー記憶手段と，
　前記キーを用いてデータを暗号化し，暗号化後のデータをサーバに送信する暗号化手段と，
　前記所定の条件が満たされた場合に，前記キー記憶手段に記憶されているキーを，前記サーバに直近に送信したデータであって暗号化する前のデータを用いて更新するキー更新手段とを備える
　ことを特徴とする端末。」
　
イ．引用刊行物に記載の事項
（ア）原審における，平成２７年９月１７日付けの拒絶理由（以下，これを「原審拒絶理由」という）において引用された，本願の出願前に既に公知である，特許第５１７８８３９号公報（平成２５年４月１０日発行，以下，これを「引用刊行物１」という）には，関連する図面と共に，次の事項が記載されている。
　
Ａ．「【０１９５】
　図３０は，第５の実施の形態の次世代電力網の一構成例を示す図である。
次世代電力網では，電力使用量を集計するスマートメーター３０１０ａと，家電機器を管理するホームサーバであるＨＥＭＳ（Home  Energy  Management  System）３０２０が各家庭に設置される。また，商業ビルを対象として，ビル内の電気機器を管理するサーバであるＢＥＭＳ（Building  Energy  Management  System）３０３０がビル毎に設置される。商業ビルには，スマートメーター３０１０ａと同様のスマートメーター３０１０ｂが設置される。以下では，スマートメーター３０１０ａおよび３０１０ｂを単にスマートメーター３０１０という
　
Ｂ．「【０１９６】
　
スマートメーター３０１０は，コンセントレータとよばれる中継器（コンセントレータ３０４０）によって数台ごとにまとめられ，通信網を介してメーターデータ管理システムであるＭＤＭＳ（Meter  Data  Management  System）３０５０と通信する。ＭＤＭＳ３０５０は，各家庭のスマートメーター３０１０から一定の間隔で電力使用量を受信して記憶する
　
Ｃ．「【０１９７】
　図３１は，スマートメーター３０１０の構成例を示すブロック図である。
スマートメーター３０１０は，ＭＤＭＳ３０５０と暗号通信を行う。通信経路上にコンセントレータ３０４０が存在するが，コンセントレータ３０４０は暗号通信を中継するのみである。ＭＤＭＳ３０５０とスマートメーター３０１０とは共有鍵Ｋを保持しており，当該共有鍵Ｋを用いて暗号通信を行う
【０１９８】
　例えば，
計測部３０１１に接続する通信部３０１２が，共有鍵Ｋを用いて計測値を暗号化してＭＤＭＳ３０５０に送る。ＭＤＭＳ３０５０は，保持する共有鍵Ｋを用いて暗号化された計測値を復号する
ＭＤＭＳ３０５０は，共有鍵Ｋを用いて，制御コマンドを暗号化し，暗号化した制御コマンドをスマートメーター３０１０の通信部３０１２に送信する。通信部３０１２は，共有鍵Ｋを用いて暗号化制御コマンドを復号し，制御コマンドを計測部３０１１に送る
通信部３０１２は，共有鍵Ｋを用いて当該電力使用量データを暗号化し，暗号化電力使用量データをＭＤＭＳ３０５０に送信する。ＭＤＭＳ３０５０は，共有鍵Ｋを用いて当該暗号化電力使用量データを復号する
　
Ｄ．「【０１９９】
　
スマートメーター３０１０において，共有鍵Ｋは半導体メモリチップのメモリの特殊領域に格納される。共有鍵Ｋは，定期的に或いは随時更新されることが望ましい。更新用の共有鍵をＫ’とする。ＭＤＭＳ３０５０は，更新用の共有鍵Ｋ’を半導体メモリチップ１００のメモリ１１０の書き込み特殊領域に書き込む
【０２００】
　ＭＤＭＳ３０５０は，例えば，図１４の書き込み装置３００として，半導体メモリチップ１００の書き込み特殊領域に更新用の共有鍵Ｋ’を書き込む。また，スマートメーター３０１０のコントローラー２００は，例えば，図７の暗号鍵共有部２１０−２と図９の読出制御部２２０−２とを具備している。
【０２０１】
　このように，第５の実施の形態では，コンテンツ保護と異なる分野である次世代電力網で用いられるデータに対して，データの不正利用を防止することができる。」
　
（イ）原審拒絶理由において引用された，本願の出願前に既に公知である，特開平０９−０８３５０７号公報（平成９年３月２８日公開，以下，これを「引用刊行物２」という）には，関連する図面と共に，次の事項が記載されている。
　
Ｅ．「【０００８】上述のコンピュータＢの実績情報ファイル１１２の内容のうち，コンピュータＡとの通信実績を示す部分２１０と，コンピュータＡの実績情報ファイル１０２の内容のうち，コンピュータＢとの通信実績を示す部分２００とは，同一または対応する内容を有している。すなわち，コンピュータＢのコンピュータＡとの通信実績回数２１１はコンピュータＡのコンピュータＢとの通信実績回数２０１，各通信毎の送信または受信デー量２１３と２０３，各通信毎の受信エラーの発生回数２１４と２０４は，それぞれ同一内容である。また，各通信毎の送信または受信の区別２１２と同２０２とは，２０２が「送信」の場合２１２は「受信」，２０２が「受信」の場合は２１２は「送信」というように対応している。なお，いうまでもなく，各通信毎の送受信データの内容の一部を抽出・記録した２１５と２０５も，同一内容である。
・・・・（中略）・・・・
【００１０】コンピュータＡでは，まず，ステップ３０１で，コンピュータＡの実績情報ファイル１０２中のコンピュータＢとの通信実績情報を入力し，特定の通信時のデータ量２０３，エラー発生数２０４，送受信データの内容の一部２０５のいずれかを用いて，乱数発生のために使用するデータを求める。次に，ステップ３０２で，それらのデータから乱数を発生させる。ステップ３０３では，上で発生させた乱数を基に暗号鍵を生成し，ステップ３０４で，対象の平文メッセージを暗号化して，ステップ３０５で，前述の乱数生成に使用した過去の実績情報(回数やデータ種別)を上述の暗号文に添付して，コンピュータＢに送信する。
・・・・（中略）・・・・
【００１２】上記実施形態によれば，送信側コンピュータシステムと受信側コンピュータシステムは，データの量や内容が同一のため，対称式暗号方式の暗号鍵生成の種として利用可能であることを利用し，鍵配送サーバを不要とし，かつ，構成を簡略化することが可能な暗号鍵の生成および共有方法を実現できる。なお，上記実施の形態は本発明の一例を示したものであり，本発明はこれに限定されるべきものではないことは言うまでもないことである。例えば，上記実施形態においては，コンピュータＡとコンピュータＢとの間の過去の通信実績情報として，データ量，エラー発生数，送受信データの内容の一部を使用する場合を例に挙げたが，本発明はこれらに限るものではなく，例えば，特定領域の“１”または“０”のビット数など，コンピュータＡとコンピュータＢとの間で共有可能な情報であれば，利用することが可能である。」
　
（ウ）原審における平成２７年１２月２５日付けの拒絶査定（以下，これを「原審拒絶査定」という）において，周知技術を示すために提示された，本願の出願前に既に公知である，特開平１０-００４４０３号公報（平成１０年１月６日公開，以下，これを「周知文献１」という）には，関連する図面と共に，次の事項が記載されている。
　
Ｆ．「【００４２】次に，制御処理部７は，第１の不揮発性メモリ１から対称暗号アルゴリズムＦを読み出し，揮発性メモリ９に格納しておいた平文および秘密鍵ＳＫを対称暗号アルゴリズムＦにより処理させ，この処理結果を暗号文として揮発性メモリ９に格納する。
【００４３】また，乱数発生器１１から乱数ＲＮを発生させ，この発生した乱数ＲＮを揮発性メモリ９に格納する。
【００４４】それから，制御処理部７は，第１の不揮発性メモリ１から読み出した対称暗号アルゴリズムＦにより揮発性メモリ９に格納した秘密鍵ＳＫおよび乱数ＲＮを処理させ，一時鍵ＴＫであるテンポラリ鍵ＴＫを生成し，このテンポラリ鍵ＴＫで第２の不揮発性メモリ３に格納されている秘密鍵ＳＫを書き換えて更新し，次の暗号化処理に備える。
【００４５】また，制御処理部７は，揮発性メモリ９に格納した暗号文および乱数ＲＮを暗号化回答電文とともにサービス提供用端末２０を介してホスト３０に返送する。」
　
（エ）原審拒絶査定において，周知技術を示すために提示された，本願の出願前に既に公知である，特開２０１３−０２６７４７号公報（平成２５年２月４日公開，以下，これを「周知文献２」という）には，関連する図面と共に，次の事項が記載されている。
　
Ｇ．「【００４１】
　デバイス１００の更新部１３０は，ハッシュ関数Ｈ，メディア鍵ｘ，および，事前共有鍵ｐｓｋにより，更新した事前共有鍵ｐｓｋ２を生成する（ステップＳ１０６）。
【００４２】
　デバイス１００の共有鍵記憶部１２０は，ｐｓｋ２をｐｓｋとして記憶する（ステップＳ１０７）。」
　
（オ）本願の出願前に既に公知である，特開昭５９−１３６８８０号公報（昭和５９年８月６日公開，以下，これを「周知文献３」という）には，関連する図面と共に，次の事項が記載されている。
　
Ｈ．「最初にメッセージブロックｍ（１）が署名装置４に入力された段階では，遅延回路６にはまだ如何なるメッセージブロックｍ（ｉ）も保持されていない為，縮約回路７も縮約データｍ（ｉ）’を出力していない。その結果排他論理和回路８は入力される鍵ｋを変更すること無くブロック形暗号器２に入力する。従ってブロック形暗号器２は入力されたメッセージブロックｍ（１）を鍵ｋにより暗号化して暗号化メッセージブロックｙ（１）を生成し，通信路１に送出する。暗号化メッセージブロックｙ（１）を送出し終わった段階では，遅延回路６にはメッセージブロックｍ（１）が保持され，縮約回路７はメッセージブロックｍ（１）から縮約データｍ（１）’を生成する。排他論理和回路８は，縮約回路７の生成する縮約データｍ（１）’と鍵ｋとの排他論理和演算を行い，該演算結果を次に署名装置４に到着するメッセージブロックｍ（２）に対する鍵ｋ（２）としてブロック形暗号器２に入力する。」（３頁左下欄９行〜右下欄７行）
　
ウ．引用刊行物に記載の発明
（ア）上記Ａの「次世代電力網では，電力使用量を集計するスマートメーター３０１０ａと，家電機器を管理するホームサーバであるＨＥＭＳ（Home  Energy  Management  System）３０２０が各家庭に設置される。また，商業ビルを対象として，ビル内の電気機器を管理するサーバであるＢＥＭＳ（Building  Energy  Management  System）３０３０がビル毎に設置される。商業ビルには，スマートメーター３０１０ａと同様のスマートメーター３０１０ｂが設置される。以下では，スマートメーター３０１０ａおよび３０１０ｂを単にスマートメーター３０１０という」という記載，上記Ｂの「スマートメーター３０１０は，コンセントレータとよばれる中継器（コンセントレータ３０４０）によって数台ごとにまとめられ，通信網を介してメーターデータ管理システムであるＭＤＭＳ（Meter  Data  Management  System）３０５０と通信する。ＭＤＭＳ３０５０は，各家庭のスマートメーター３０１０から一定の間隔で電力使用量を受信して記憶する」という記載から，引用刊行物１には，
“電力使用量を集計し，通信網を介してメーターデータ管理システムであるＭＤＭＳと通信して，一定の間隔で電力使用量を，前記ＭＤＭＳに送信するスマートメーター”が記載されていることが読み取れる。
　
（イ）上記Ｃの「スマートメーター３０１０は，ＭＤＭＳ３０５０と暗号通信を行う。通信経路上にコンセントレータ３０４０が存在するが，コンセントレータ３０４０は暗号通信を中継するのみである。ＭＤＭＳ３０５０とスマートメーター３０１０とは共有鍵Ｋを保持しており，当該共有鍵Ｋを用いて暗号通信を行う」という記載，及び，同じく，上記Ｃの「計測部３０１１に接続する通信部３０１２が，共有鍵Ｋを用いて計測値を暗号化してＭＤＭＳ３０５０に送る。ＭＤＭＳ３０５０は，保持する共有鍵Ｋを用いて暗号化された計測値を復号する」という記載から，引用刊行物１においては，
“スマートメーターと，ＭＤＭＳは，共に，共有鍵Ｋを保持し，前記スマートメーターは，前記共有鍵Ｋを用いて，計測値を暗号化して，前記ＭＤＭＳに送信し，前記ＭＤＭＳは，暗号化された計測値を，自身が保持する，共有鍵Ｋを用いて復号する”ものであることが読み取れる。
　
（ウ）上記Ｃの「ＭＤＭＳ３０５０は，共有鍵Ｋを用いて，制御コマンドを暗号化し，暗号化した制御コマンドをスマートメーター３０１０の通信部３０１２に送信する。通信部３０１２は，共有鍵Ｋを用いて暗号化制御コマンドを復号し，制御コマンドを計測部３０１１に送る」という記載，及び，同じく，上記Ｃの「通信部３０１２は，共有鍵Ｋを用いて当該電力使用量データを暗号化し，暗号化電力使用量データをＭＤＭＳ３０５０に送信する。ＭＤＭＳ３０５０は，共有鍵Ｋを用いて当該暗号化電力使用量データを復号する」という記載と，上記（イ）において検討した事項から，引用刊行物１においては，
“ＭＤＭＳは，制御コマンドを,自身が保持する共有鍵Ｋを用いて暗号化し，暗号化された制御コマンドを，スマートメーターに送信し，前記スマートメーターは，受信した暗号化された制御コマンドを，自身が保持する共有鍵Ｋを用いて復号し，前記スマートメーターは，格納されている，電力使用量データを，前記共有鍵Ｋを用いて暗号化し，暗号化電力使用量データを，ＭＤＭＳに送信し，前記ＭＤＭＳは，自身が保持する共有鍵Ｋを用いて，前記暗号化電力使用量データを復号する”ものであることが読み取れる。
　
（エ）上記Ｄの「スマートメーター３０１０において，共有鍵Ｋは半導体メモリチップのメモリの特殊領域に格納される。共有鍵Ｋは，定期的に或いは随時更新されることが望ましい。更新用の共有鍵をＫ’とする。ＭＤＭＳ３０５０は，更新用の共有鍵Ｋ’を半導体メモリチップ１００のメモリ１１０の書き込み特殊領域に書き込む」という記載から，引用刊行物１においては，
“スマートメーターにおいて，共有鍵Ｋは，メモリの特殊領域に格納され，ＭＤＭＳが，更新用の共有鍵Ｋ’を，前記特殊領域に書き込むことにより，定期的に或いは随時更新される”ものであることが読み取れる。
　
（オ）以上，（ア）〜（エ）において検討した事項から，引用刊行物１には，次の発明（以下，これを「引用発明」という）が記載されているものと認める。
　
「電力使用量を集計し，通信網を介してメーターデータ管理システムであるＭＤＭＳと通信して，一定の間隔で電力使用量を，前記ＭＤＭＳに送信するスマートメーターであって，
　前記スマートメーターと，前記ＭＤＭＳは，共に，共有鍵Ｋを保持し，
　前記スマートメーターは，前記共有鍵Ｋを用いて，前記電力使用量を暗号化して，前記ＭＤＭＳに送信し，
　前記ＭＤＭＳは，暗号化された電力使用量を，自身が保持する，共有鍵Ｋを用いて復号し，
　前記ＭＤＭＳは，制御コマンドを,自身が保持する共有鍵Ｋを用いて暗号化し，暗号化された制御コマンドを，スマートメーターに送信し，前記スマートメーターは，受信した暗号化された制御コマンドを，自身が保持する共有鍵Ｋを用いて復号し，
　前記スマートメーターにおいて，前記共有鍵Ｋは，メモリの特殊領域に格納され，前記ＭＤＭＳが，更新用の共有鍵Ｋ’を，前記特殊領域に書き込むことにより，定期的に或いは随時更新される，スマートメーター。」
　
エ．本件補正発明と引用発明との対比
（ア）引用発明において，「スマートメーター」は，「メーターデータ管理システムであるＭＤＭＳ」に，「電力使用量」，即ち，「データ」を送信するものであり，前記「ＭＤＭＳ」は，当該「データ」を受信するものであるから，
　引用発明における「スマートメーター」，「ＭＤＭＳ」が，
　本件補正発明における「端末」，「サーバ」に相当する。
　よって，引用発明における「電力使用量を集計し，通信網を介してメーターデータ管理システムであるＭＤＭＳと通信して，一定の間隔で電力使用量を，前記ＭＤＭＳに送信するスマートメーターであって」は，
　本件補正発明における「サーバに対してデータを送信する端末であって」に相当する。
　
（イ）引用発明において，「共有鍵Ｋ」は，「スマートメーター」においては，「電力使用量」，即ち，「データ」を暗号化するために，そして，「ＭＤＭＳ」から送信された「暗号化された制御コマンド」を復号するために用いられ，「ＭＤＭＳ」においては，「スマートメーター」から受信した，「暗号化された電力使用量」を復号するために，そして，「制御コマンド」を暗号化するために用いられるものであるから，
　引用発明における「共有鍵Ｋ」が，
　本件補正発明における「データの暗号化および復号に用いるキー」に相当し，
　引用発明における「スマートメーターと，前記ＭＤＭＳは，共に，共有鍵Ｋを保持し」が，
　本件補正発明における「前記サーバと共通のキーを記憶し」に相当する。
　
（ウ）引用発明においては，「共有鍵Ｋ」は，「スマートメーター」側では，「スマートメーター」の「メモリの特殊領域に格納」されているので，
　引用発明における「メモリの特殊領域」が，本件補正発明における「キー記憶手段」に相当する。
　以上のことから，引用発明における「スマートメーターにおいて，前記共有鍵Ｋは，メモリの特殊領域に格納され」が，
　本件補正発明における「データの暗号化および復号に用いるキーを記憶するキー記憶手段」に相当する。
　
（エ）引用発明においては，「スマートメーターは，前記共有鍵Ｋを用いて，前記電力使用量を暗号化して，前記ＭＤＭＳに送信し」ているので，「電力使用量」を「暗号化して」，「ＭＤＭＳに送信」する手段を有していることは明らかである。
　よって，引用発明における「スマートメーターは，前記共有鍵Ｋを用いて，前記電力使用量を暗号化して，前記ＭＤＭＳに送信し」が，
　本件補正発明における「キーを用いてデータを暗号化し，暗号化後のデータをサーバに送信する暗号化手段」に相当する。
　
（オ）引用発明においては，「共有鍵Ｋ」は，「定期的或いは随時更新される」ものであるが，「定期的」に「更新される」ということは，“所定の期間が経過するという条件を満たす場合に更新される”ことに他ならないので，
　引用発明における「スマートメーターにおいて，前記共有鍵Ｋは，メモリの特殊領域に格納され，前記ＭＤＭＳが，更新用の共有鍵Ｋ’を，前記特殊領域に書き込むことにより，定期的に或いは随時更新される」と，
　本件補正発明における「所定の条件が満たされた場合に，前記キーと，当該端末が前記サーバに送信したデータとを用いて前記キーを更新し」とは，
“所定の条件が満たされた場合に，キーを更新する”点で共通する。
　
（カ）以上，（ア）〜（オ）において検討した事項から，本件補正発明と，引用発明との，一致点，及び，相違点は，次のとおりである。
　
［一致点］
　サーバに対してデータを送信する端末であって，
　データの暗号化および復号に用いるキーであり，前記サーバと共通のキーを記憶し，
　所定の条件が満たされた場合に，キーを更新し，
　データの暗号化および復号に用いるキーを記憶するキー記憶手段と，
　前記キーを用いてデータを暗号化し，暗号化後のデータをサーバに送信する暗号化手段と，を備える端末。
　
［相違点１］
“所定の条件が満たされた場合に，キーを更新”することに関して，
　本件補正発明においては，「キーと，当該端末が前記サーバに送信したデータとを用いて前記キーを更新」するものであるのに対して，
　引用発明においては，「ＭＤＭＳが，更新用の共有鍵Ｋ’を，前記特殊領域に書き込むことにより」，「更新」されるものである点。
　
［相違点２］
　本件補正発明においては，「端末」が，「所定の条件が満たされた場合に，前記キー記憶手段に記憶されているキーを，前記サーバに直近に送信したデータであって暗号化する前のデータを用いて更新するキー更新手段」を有しているのに対して，
　引用発明においては，「キー更新手段」については，言及されていない点。
　
オ．相違点についての当審の判断
（ア）［相違点１］について
　前回の共有鍵を用いて，更新した共有鍵を生成することは，上記Ｆとして引用した，周知文献１の記載内容，或いは，上記Ｇとして引用した，周知文献２の記載内容にもあるとおり，当業者には，周知の技術事項であり，当該更新した共有鍵を生成するに際して，更に，送信した乱数，即ち，パラメータと，データを暗号化した鍵とを用いて，次の暗号化に用いる鍵を生成することも，上記Ｆとして引用した，周知文献１の記載内容にあるとおり，本願の出願前に，当業者には周知の技術事項である。
　また，送信したデータを用いて，次の暗号化に用いる共有鍵を更新することも，上記Ｅとして引用した，引用刊行物２の記載内容にもあるとおり，本願の出願前に，当業者には，広く知られた技術事項であるから，引用発明においても，「共有鍵Ｋ」を更新する際に，送信したパラメータとして，送信したデータを用い，当該データを暗号化するのに用いた「共有鍵Ｋ」とを用いて，「更新用の共有鍵Ｋ’」を生成するようにすることは，当業者が適宜なし得る事項である。
　よって，［相違点１］は，格別のものではない。
　
（イ）［相違点２］について
　データを送信する側に鍵の更新手段を設けることは，上記（ア）において引用した周知文献１の記載内容にもあるとおり，本願の出願前に，当業者には周知の技術事項である，ここで，周知文献１においては，新しい鍵の生成に用いるデータとして，直近に送信したデータを用いる点については，明確には示されていなかったが，新しい鍵の生成に用いるデータとして，直近に送信したデータを用いる点については，上記Ｈとして引用した，周知文献３の記載内容にもあるとおり，本願の出願前に，当業者には，周知の技術事項といえるものであり，周知文献３には，そのような処理を，データを送信する側で行うための構成についても言及されているので，上記（ア）において検討した事項も踏まえれば，引用発明においても，新しい鍵の生成に用いるデータとして，直近に送信したデータを用いるような，「共有鍵Ｋ」を更新するための手法を実現する，「キー更新手段」を，「スマートメーター」側に設けるようにすることは，当業者が適宜行い得る事項である。
　よって，［相違点２］は，格別のものではない。
　
（ウ）以上，（ア），及び，（イ）において検討したとおり，［相違点１］，及び，［相違点２］は，格別のものでなく，そして，本件補正発明の構成によってもたらされる効果も，当業者であれば当然に予測可能なものに過ぎず格別なものとは認められない。
　よって，本件補正発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により，特許出願の際，独立して特許を受けることができない。
　
オ．独立特許要件むすび
　したがって，本件手続補正は，特許法第１７条の２第６項において準用する同法第１２６条第７項の規定に違反するので，同法第１５９条第１項の規定において読み替えて準用する同法第５３条第１項の規定により却下すべきものである。
　
３．補正却下むすび
　以上に検討したとおりであるから，本件手続補正は，特許法第１７条の２第５項の規定に違反するので，同法第１５９条第１項において読み替えて準用する同法第５３条第１項の規定により却下すべきものである。
　加えて，本件手続補正は，特許法第１７条の２第６項において準用する同法第１２６条第７項の規定に違反するので，同法第１５９条第１項の規定において読み替えて準用する同法第５３条第１項の規定により却下すべきものである。
　
　よって，補正却下の決定の結論のとおり決定する。
　
第３．本願発明について
　平成２８年４月４日付けの手続補正は，上記のとおり却下されたので，本願の請求項１に係る発明（以下，これを「本願発明」という）は，平成２７年１１月２６日付けの手続補正により補正された特許請求の範囲の請求項１に記載された，上記「第２．平成２８年４月４日付けの手続補正の却下の決定」の「１．補正の内容」において，補正前の請求項１として引用した，次のとおりのものである。
　
「サーバに対してデータを送信する端末であって，
　データの暗号化および復号に用いるキーであり，前記サーバと共通のキーを記憶し，
　所定の条件が満たされた場合に，前記キーと，当該端末が前記サーバに送信したデータとを用いて前記キーを更新する
　ことを特徴とする端末。」
　
第４．引用刊行物に記載の発明
　上記「第２．平成２８年４月４日付けの手続補正の却下の決定」の「２．補正の適否」における「（３）独立特許要件」の「イ．引用刊行物に記載の事項」において，引用刊行物１として引用した，原審拒絶理由に引用された，特許第５１７８８３９号公報（平成２５年４月１０日発行）には，上記「第２．平成２８年４月４日付けの手続補正の却下の決定」の「２．補正の適否」における「（３）独立特許要件」の「ウ．引用刊行物に記載の発明」において認定したとおりの，次の引用発明が記載されている。
　
「電力使用量を集計し，通信網を介してメーターデータ管理システムであるＭＤＭＳと通信して，一定の間隔で電力使用量を，前記ＭＤＭＳに送信するスマートメーターであって，
　前記スマートメーターと，前記ＭＤＭＳは，共に，共有鍵Ｋを保持し，
　前記スマートメーターは，前記共有鍵Ｋを用いて，前記電力使用量を暗号化して，前記ＭＤＭＳに送信し，
　前記ＭＤＭＳは，暗号化された電力使用量を，自身が保持する，共有鍵Ｋを用いて復号し，
　前記ＭＤＭＳは，制御コマンドを,自身が保持する共有鍵Ｋを用いて暗号化し，暗号化された制御コマンドを，スマートメーターに送信し，前記スマートメーターは，受信した暗号化された制御コマンドを，自身が保持する共有鍵Ｋを用いて復号し，
　前記スマートメーターにおいて，前記共有鍵Ｋは，メモリの特殊領域に格納され，前記ＭＤＭＳが，更新用の共有鍵Ｋ’を，前記特殊領域に書き込むことにより，定期的に或いは随時更新される，スマートメーター。」
　
第５．本願発明と引用発明との対比
　本願発明は，上記「第２．平成２８年４月４日付けの手続補正の却下の決定」の「２．補正の適否」における「（３）独立特許要件」において検討した，本件補正発明から，
「データの暗号化および復号に用いるキーを記憶するキー記憶手段と，
　前記キーを用いてデータを暗号化し，暗号化後のデータをサーバに送信する暗号化手段と，
　前記所定の条件が満たされた場合に，前記キー記憶手段に記憶されているキーを，前記サーバに直近に送信したデータであって暗号化する前のデータを用いて更新するキー更新手段とを備える」，
　という構成を取り除いたものであるから，本願発明と，引用発明との，一致点，及び，相違点は，
　
［一致点］
　サーバに対してデータを送信する端末であって，
　データの暗号化および復号に用いるキーであり，前記サーバと共通のキーを記憶し，
　所定の条件が満たされた場合に，キーを更新する，端末。
　
［相違点］
“所定の条件が満たされた場合に，キーを更新する”点に関して，
　本願発明においては，「キーと，当該端末が前記サーバに送信したデータとを用いて前記キーを更新」するものであるのに対して，
　引用発明においては，「ＭＤＭＳが，更新用の共有鍵Ｋ’を，前記特殊領域に書き込むことにより」，「更新」されるものである点。
　
第６．相違点についての当審の判断
　本願発明と，引用発明との［相違点］は，本件補正発明と，引用発明との［相違点１］と同じものであるから，上記「第２．平成２８年４月４日付けの手続補正の却下の決定」の「２．補正の適否」における「（３）独立特許要件」の「オ．相違点についての当審の判断」における（ア）において検討したとおり，格別のものではない。
　そして，本願発明の構成によってもたらされる効果も，当業者であれば容易に予測できる程度のものであって，格別なものとは認められない。
　
第７．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。